(57)【要約】【課題】着用時所定の部位の保形性を充分発揮することが出来るばかりでなく、着用時の通気性にも優れ着用時に蒸れの発生を見ることのないガードルを得る。【解決手段】前身頃中央に位置する腹部被い編地の両側に、後身頃中心にまで延びる前記腹部被い編地と共に筒状体をなす脇編地を設け、後身頃中央下部と前身頃中央下部との間に亘ってクロッチ布を設けてなるガードル本体の編地を通気性を有する多孔性編地とし、前記腹部被い編地内面にパワーネットを重ねて設けていたことにより、身体表面に発生した汗等の水分は、ガートル本体の多孔性編地から速やかに蒸散し生地内に滞ることがないから極めて快適に過ごすことが出来る。【選択図】図１
0003137406.tif 000002
【実用新案登録請求の範囲】
【請求項１】
前身頃中央に位置する腹部被い編地の両側に、後身頃中心にまで延びる前記腹部被い編地と共に筒状体をなす脇編地を設け、後身頃中央下部と前身頃中央下部との間に亘ってクロッチ布を設けてなるガードル本体の編地を通気性を有する多孔性編地とし、前記腹部被い編地内面にパワーネットを重ねて設けたことを特徴とするガードル。
【請求項２】
ガードル本体の脇編地を下方に筒状に延長し、該延長部を脚筒とし、腹部被い編地の内面及びヒップ部の前記脚筒内面にパワーネットを重ねて設けたことを特徴とする請求項１記載のガードル。
【請求項３】
ガードル本体を構成する編地はシャークスキンメッシュ地であることを特徴とする請求項１記載のガードル。
【考案の詳細な説明】
【技術分野】
【０００１】
本考案は、保形性を有すると共に通気性を有し着用感に秀れたガードルに関する。
【背景技術】
【０００２】
ガードルは本来ウエストラインやヒップラインを美しく見せるために着用するものであり、腹部，ヒップ等を被い身体を整形するが、そのため伸縮性を有する生地等で身体の対象部位を圧迫したり押し上げたりする手段が種々考えられている（特許文献１）。
【０００３】
然し、これらの多くは身体の特定部位を締め付けるなど結果的に身体に圧迫を加えるなどすることになり、該部の通気性は充分とは言えず着用感が劣ることにもなった。また、強い緊締力を発揮させるには必要的に該部の生地の厚味を増加しなければならない等の理由によって生地の縫合線が強く顕われ着用時被服の外観を悪くするようなことにもなった。
【特許文献１】実用新案登録第３１３１８５６号公報
【考案の開示】
【考案が解決しようとする課題】
【０００４】
本考案は上記の点に鑑みて、着用時所定の部位の保形性を充分発揮することが出来るばかりでなく、着用時の通気性にも優れ着用時に蒸れの発生を見ることのないガードルを得ることを目的とする。
【課題を解決するための手段】
【０００５】
本考案請求項１記載のガードルは、前身頃中央に位置する腹部被い編地の両側に、後身頃中心にまで延びる前記腹部被い編地と共に筒状体をなす脇編地を設け、後身頃中央下部と前身頃中央下部との間に亘ってクロッチ布を設けてなるガードル本体の編地を通気性を有する多孔性編地とし、前記腹部被い編地内面にパワーネットを重ねて設けている。
本考案請求項２記載のガードルは、請求項１記載のガードルにおいて、ガードル本体の脇編地を下方に筒状に延長し、該延長部を脚筒とし、腹部被い編地の内面及びヒップ部の前記脚筒内面にパワーネットを重ねて設けている。
本考案請求項３記載のガードルは、請求項１記載のガードルにおいて、ガードル本体を構成する編地はシャークスキンメッシュ地としている。
【考案の効果】
【０００６】
本考案ガードルは、前身頃中央に位置する腹部被い編地の両側に、後身頃中心にまで延びる前記腹部被い編地と共に筒状体をなす脇編地を設け、後身頃中央下部と前身頃中央下部との間に亘ってクロッチ布を設けてなるガードル本体の編地を通気性を有する多孔性編地とし、前記腹部被い編地内面にパワーネットを重ねて設けていたことにより、身体表面に発生した汗等の水分は、ガードル本体の多孔性編地から速やかに蒸散し生地内に滞ることがないから極めて快適に過ごすことが出来る。
【０００７】
また、腹部被い編地やクロッチ布の内側に二重に設けたパワーネットのために身体の形崩れを防ぐことが出来る。
そして、腹部被い編地に重ねたパワーネットは、その下端部を縫着せずルーズな状態となっているので、体形によって重なったパワーネットがずれて移動したとしても、パワーネット端部がその位置を変動させ得るから一定の場所に編地端部が滞溜し外観を悪くするようなことはない。
【考案を実施するための最良の形態】
【０００８】
本考案ガードルを図面と共に次に説明する。
図１はショートガードルの正面図、図２は同背面図、図３は第２の実施例の正面図、図４は同背面図である。
【０００９】
本考案ガードル１は、ガードル本体２を構成する編地の内、所定位置にある編地のみにパワーネット３を重ねた構造を有している。即ち、前身頃４の中央に位置する腹部被い編地５の両側に、後身頃６の後身頃中心７まで延び前記腹部被い編地５と共に筒状体８を形成する脇編地９，９を設け、腹部被い編地５の下端中央と、後身頃中心７下部との間にわたってクロッチ布１０を設けウエスト部にウエストバンド１１を設けることによってガードル本体２を構成する。ガードル本体２は通気性を有する多孔性編地を用いている。例えばシャークスキンメッシュ編地など好ましい。
編地の種類によっては伸長方向が一定に方向付けられるため腹部被い編地５の生地は前身頃中心１３で半載し左右の編地の伸長方向が対象形となるよう配置する。
【００１０】
そして、前記腹部被い編地５の内面に重ねてパワーネット３を配し、パワーネット３は脇編地９，９及びクロッチ布１０に接する部位で適宜縫着されている。そして、股ぐり１２に面する部分ではパワーネット３の端縁３ａと腹部被い編地５の端縁５ａとは重なり合ってはいるが縫合等はされず互いにその位置をずらすことを可能にし着用時身体に添う編地が身体の線になじんで自在にその位置を変化させることを可能にしている。
【００１１】
次に第２の実施例としてロングガードルの例を図３，４と共に説明する。
本考案ロングガードル２０は、ガードル１と比較して左右脚筒部２１を長く設けた点及びヒップ部２２内面にもパワーネット２３を設けた点を相違点としている。
第１の実施例と共通の部材を使用する場合同一の符号を付して説明する。
【００１２】
ロングガードル２０は、前身頃４の中央に位置する腹部被い編地５の両側に後身頃６の後身頃中心７まで延び前記腹部被い編地５と共に筒状体８を形成する脇編地９，９を設ける。脇編地９は腹部被い編地５よりも下方に延び下部は脚筒部２１を構成する。
腹部被い編地５の下端中央と、後身頃中心７下部との間にわたってクロッチ布１０を設けウエスト部にウエストバンド１１を設けることによってガードル本体２を構成する。ガードル本体２は通気性を有する多孔性編地を使用する点では第１の実施例と同一である。  そして、前記腹部被い編地５の内面に重ねてパワーネット３を配し、パワーネット３は脇編地９，９及びクロッチ布１０に接する部位で適宜縫着されている。
【００１３】
第２の実施例では、腹部被い編地５の側部から後身頃の脇編地のヒップ部２２を回って股下部位２４の脚筒部２１まで帯状にパワーネット２３がガードル本体２内面に設けられている。
上記帯状に設けられたパワーネットはヒップ部を後下方から引き上げるような作用をすることになる。
【００１４】
本考案のガードルはガードル本体を通気性を有する多孔性編地で構成しているためにガードル全体として通気性に優れており、かつ、着用感が良好で、着用時に外力が加わる或いは身体を緊圧しようとする場所の本体内面にパワーネットを重ねて設けることによって保形性を得ることを可能にしている。
【産業上の利用可能性】
【００１５】
本考案ガードルは、通気性を有する多孔性編地で構成された本体内の所要部位にパワーネットを配することにより通気性と共に保形性を高めたものであるが、特にガードルに限定することはなく、その他の被服に用いることによって、着用感の優れた衣料とすることが出来る。
【図面の簡単な説明】
【００１６】
【図１】本考案ショートガードルの正面図。
【図２】本考案ショートガードルの背面図。
【図３】本考案の第２の実施例の正面図。
【図４】同背面図。
【符号の説明】
【００１７】
１  ガードル
２  ガードル本体
３  パワーネット
３ａ  パワーネットの編地端縁
４  前身頃
５  腹部被い編地
５ａ  腹部被い編地の端縁
６  後身頃
７  後身頃中心
８  筒状体
９  脇編地
１０  クロッチ布
１１  ウエストバンド
１２  股ぐり
１３  前身頃中心
２０  ロングガードル
２１  脚筒
２２  ヒップ部
２３  パワーネット
【図１】
0003137406.tif 000003
【図２】
0003137406.tif 000004
【図３】
0003137406.tif 000005
【図４】
0003137406.tif 000006